(57)【特許請求の範囲】
【請求項１】
２０万〜８０万ｍＰａ・ｓの粘度を有する化粧料を充填した収納部に挿入して使用する塗布具において、該塗布具は塗布部と軸が接合してなり、該塗布部は軸に平行な切断面が曲線で、軸と垂直な切断面が直線の湾曲した扁平状であり、湾曲した内側表面はフロッキー植毛し、湾曲した外側表面は平滑であることを特徴とした粘性化粧料用塗布具。
【請求項２】
塗布部が、幅４．５〜５．５ｍｍであり、軸に平行の切断面の曲線が曲率半径１７〜２６ｍｍであることを特徴とした請求項１記載の粘性化粧料用塗布具。
【請求項３】
塗布部が、ＪＩＳ試験法Ｋ６２５３による素材の硬さが９０の材料で形成されたことを特徴とする請求項１又は２記載の粘性化粧料用塗布具。 
【発明の詳細な説明】
【技術分野】
【０００１】
本発明は、特に粘度の高い液状、ペースト状またはゲル状の化粧料を塗布するための塗布具に関する。
【背景技術】
【０００２】
従来、口紅やリップグロスなど液状、ペースト状またはゲル状の化粧料には、化粧料を充填する収納部と塗布具を取り付けたキャップからなる容器が知られている。これらの容器は収納部の化粧料を塗布具で取り出し、唇に化粧料を塗布して使用するものであり、携帯性に優れるとともに、使用性にも優れることから広く用いられている。また、塗布具の形態としては、ブラシやチップなどがあり、化粧料の特性や使用の態様にあわせて、様々な形状や材質のものがある。
【０００３】
しかしながら、上記の容器はいずれも従来のリップグロスや口紅、すなわち、粘度が、通常で約３０００〜４００００ｍＰａ・ｓ、高いものでも１０万ｍＰａ・ｓ(特開２００８−２１４２１０号公報）の化粧料を取り出し易く、また、塗布し易いことを考慮したものである。
【０００４】
リップグロス等は、唇につやと輝きを与える化粧料であり、リップグロス等を唇に塗布したとき、塗膜が厚い方が、塗膜内部での光の散乱が増加し、つや等を与える効果に優れる。したがって、リップグロスのつやを与える機能を高めるために、唇に厚く塗布できるように粘度が高い処方の開発が望まれる。
【０００５】
一方、粘度の高いリップグロス等を上記のような従来の容器で使用すると、従来の塗布具では化粧料を充分にすくい取ることが出来ず、取り出せる化粧料の量が極端に少ないという不都合が生じる。
【０００６】
また、粘度の高いリップグロス等は、延びが悪い傾向にあるため、従来の塗布具で塗布するとムラになり、唇に均一に塗布できないなどの事態が生じる。
【０００７】
更に、リップグロス等の粘度が高いと塗布具の動きに抗するように化粧料から塗布具に強い応力が加わるため、塗布具を収納部に繰り返し挿入するにしたがって、塗布具が変形し、塗布具としての機能を損なうこととなる。
【先行技術文献】
【特許文献】
【０００８】
【特許文献１】特開２００６−３４６４６９号公報
【特許文献２】特開２００８−２１４２１０号公報
【発明の概要】
【発明が解決しようとする課題】
【０００９】
本発明は、リップグロスなどの液状、ペースト状またはゲル状の化粧料を容器収納部に充填し、塗布具を挿入して使用する化粧料用容器において、２０万〜８０万ｍＰａ・ｓの特に粘度が高い化粧料であっても、化粧料を充分に取り出すことができ、また、唇に均一に塗布することができ、更に、連用しても化粧料からの応力によって塗布部に変形が生じない塗布具を提供することを課題とする。
【課題を解決するための手段】
【００１０】
第１の発明は、２０万〜８０万ｍＰａ・ｓの粘度を有する化粧料を充填した収納部に挿入して使用する塗布具において、該塗布具は塗布部と軸が接合してなり、該塗布部の軸に平行の切断面が曲線で、且つ、軸と垂直な切断面が直線であり、全体として湾曲した扁平状であり、湾曲した内側表面はフロッキー植毛し、湾曲した外側表面は平滑であることを特徴とした粘性化粧料用塗布具である。
【００１１】
第２の発明は、塗布部が、幅４．５〜５．５ｍｍであり、軸に平行な切断面の曲線が曲率半径１７〜２６ｍｍであることを特徴とした粘性化粧料用塗布具である。
【００１２】
第３の発明は、塗布部が、ＪＩＳ試験法Ｋ６２５３による素材の硬さが９０の材料で形成されたことを特徴とした粘性化粧料用塗布具である。
【発明の効果】
【００１３】
本発明の塗布具によれば、リップグロスなどの液状又はペースト状の化粧料を容器収納部に充填し、塗布具を挿入して使用する化粧料用容器において、２０万〜８０万ｍＰａ・ｓの特に粘度が高い化粧料であっても、化粧料を充分に取り出すことができ、また、塗布部に均一に塗布することができ、更に、連用しても中味からの応力によって変形が生じることはない。
【図面の簡単な説明】
【００１４】
【図１】粘性化粧料用容器断面図
【図２】塗布部正面図
【図３】塗布部側面図
【発明を実施するための形態】
【００１５】
本発明の粘性化粧料塗布具の形態について図面を用いて詳しく説明する。
【００１６】
図１は、本発明の粘性化粧料用塗布具を組み込んだ粘性化粧料用容器全体の構成を示す。粘性化粧料用容器(1)は化粧料を充填する収納部(5)とキャップ(2)からなり、キャップ(2)には、化粧料を取り出すとともに、化粧料を唇等に塗布するための塗布具(3)が設けられている。この塗布具(3)は、軸(4)と塗布部(6)が接合してなり、軸(4)の一方の端部はキャップ(2)に接合し、他方の端部は塗布部(6)と接合している。軸(4)と塗布部(6)との接合は、塗布部(6)の端に設けた保持部(10)を軸の端部に設けた保持孔(11)に挿入し固定して行う。また、この塗布具(3)は、キャップ(2)が収納部(5)に螺合すると、収納部(5)に充填されている化粧料に含浸するように、キャップ(2)に取り付けられている。
【００１７】
収納部(5)に充填する粘性化粧料(9)は、粘度を高くすることにより、塗布後の塗布膜を厚くし、つや、光沢に優れたものとするため、粘度は２０万〜８０万ｍＰａ・ｓ（芝浦システム株式会社社製のＢＬ型粘度計を使用し、測定条件は、ローター４号、０．３ｒｐｍでの測定値である）とするが、化粧料の延びが良く塗布し易いことから、２５万〜５５万ｍＰａ・ｓが好ましい。
【００１８】
塗布部(6)は、図２、３に示すような湾曲した扁平状であり、軸と平行な切断面は曲線をなし、軸と垂直な切断面は直線をなしている。
【００１９】
塗布部(6)を扁平状にすることで、化粧料を掬い取り易くなる。また、唇に塗布する際も適度な弾力性があるため、唇へ接触したときの感触もソフトであり、唇に密着し易いことから塗布し易く、塗り広げ易い。
【００２０】
軸(4)に平行な切断面が湾曲していることによって、収容部(5)の粘性化粧料(9)を掬い取り易くなり、特に粘度の高い粘性化粧料は、粘性力が強いために湾曲していない平面的な形状では化粧料を掬い取ることが困難となる。また、湾曲した内側の表面(7)は、唇に密着するため、化粧料を塗布し易く、また、塗布部の湾曲した外側表面(8)を使って、化粧料を唇全体に塗り広げることができる。
【００２１】
軸(4)に垂直な切断面を直線とすることによって、内側表面(7)で掬い取った化粧料を内側表面(7)に残すことなく唇に塗布することが可能となる。また、外側表面(8)で塗り広げる場合にも、塗布ムラの発生を防ぐことが出来る。使用者が化粧料を塗布し、塗り広げる際、塗布具を軸と垂直方向に動かすという動作に基づくものである。すなわち、塗布部(6)が動く方向である軸(4)と垂直方向の断面を直線にすることによって上記の効果を得ることが出来る。
【００２２】
塗布部(6)の湾曲した内側表面(7)は、フロッキー加工により植毛されたエラストマー樹脂からなる。塗布部(6)の湾曲した内側表面(7)を、フロッキー加工により植毛されたエラストマー樹脂とすることによって、植毛した繊維が化粧料を含浸し保持するため、粘性化粧料を掬い取り易く、充分な量の粘性化粧料を唇に塗布することが出来る。フロッキー加工は内側表面(7)の全面に施すことが好ましい。フロッキー加工を部分的に行うと、処理した部分と処理しない部分とで表面状態が異なり、凹凸が生じ、塗りムラなどの弊害が生じる可能性があるためである。
【００２３】
塗布部(6)の湾曲した内側表面(7)に植毛する繊維は、材質、太さ、長さについて、特に限定されるものではないが、化粧用具のフロッキー加工に一般的に用いられている、太さ０．９デシテックス、長さ０．８ｍｍのナイロン樹脂製の繊維であることが好ましい。
【００２４】
塗布部(6)の湾曲した外側表面(8)はフロッキー加工せず、平滑な表面とする。塗布部(6)の湾曲した外側表面(8)は化粧料を唇全体に塗り広げるため、平滑面であることが必要であり、この表面に凹凸があると、塗り広げにくくなるばかりか、仕上がり表面に凹凸が残り、化粧料の唇につやと輝きを与える効果が損なわれることになるからである。
【００２５】
塗布部(6)は上記の通り唇の形状にフィットする必要があるため、適度な弾力性のある素材を選定する必要がある。また、化粧料と常時接触する部位であるため化粧料に対して相互作用のない化学的に安定な素材である必要がある。したがって、塗布部を形成する素材としては、ＪＩＳ試験法Ｋ６２５３による素材の硬さが９０のエラストマー樹脂であることが好ましく、このようなエラストマー樹脂として、例えば、熱可塑性エラストマー又はポリウレタンエラストマーが好ましい。
【００２６】
塗布部(6)の形状は、化粧料を塗布する際の塗布具の使用性に大きな影響を与えるとともに、化粧料が高粘度である場合には、塗布部の変形に影響する。塗布部の幅(W)は、４．５〜５．５ｍｍが好ましい。塗布部の幅(W)が４．５ｍｍより小さいと化粧料を掬い取る量が少なくなり、塗布する量が不足する。また、幅(W)４．５ｍｍでは塗布部の剛性が低いため、粘度の高い化粧料に対して繰り返し挿入すると変形をきたす。一方、幅(W)が５．５ｍｍより大きいと細かい部分に塗布しにくくなり操作性に劣る。
【００２７】
塗布部(6)の軸(4)に平行な切断面の曲線は、曲率半径１７〜２６ｍｍであることが好ましい。曲率半径が２６ｍｍより大きいと塗布部の湾曲した内側表面(7)が唇へ密着せず、化粧料を塗布しにくくなる。逆に、曲率半径が１７ｍｍより小さいと、軸方向の投影面積が大きくなり、塗布部を収納部に挿入した場合、化粧料からの反発力を大きく受けるため変形が起こり易くなる。更に、曲率半径が１７ｍｍより小さいと塗布部の湾曲した内側表面(7)が唇に密着せず、化粧料を十分に塗布することができない。
【００２８】
以下の実施例では、試験法とともに塗布部の形状について詳細に説明する。
【実施例】
【００２９】
実施例で使用した化粧料は、粘度２８万〜５２万ｍＰａ・ｓ（芝浦システム株式会社社製のＢＬ型粘度計を使用し、測定条件は、ローター４号、０．３ｒｐｍでの測定値である）のリップグロスであり、処方を表１に示す。つやを与える機能を高め、唇に厚く塗布できるような特に粘度が高いリップグロスが望まれ、これに対応し得る塗布部の形状を評価するためである。尚、通常のリップグロスは、通常で約３０００〜４００００ｍＰａ・ｓ、高いものでも１０万ｍＰａ・ｓである。
【００３０】
【表１】
0005450027.tif 000002
【００３１】
塗布部の幅(W)、軸に平行な切断面の曲線の曲率半径について、化粧料の掬い取り量、操作性（細部への塗布し易さ）、唇へのフィット性などの使用性および塗布部の化粧料に対する耐変形性を評価した（表２）。尚、塗布部の長さ(L)は、約１５ｍｍであり、厚さ(T)は約０．９ｍｍである。
【００３２】
塗布部の耐変形性は、３０℃における粘度３５万ｍＰａ・ｓのリップグロスを充填し、塗布具を挿入し装着した際の、塗布部の曲がりの有無について目視で評価した（表２）。
【００３３】
【表２】
0005450027.tif 000003
【００３４】
塗布部の幅は、３ｍｍ(比較例１)では、化粧料を掬い取る量が少なく、また、剛性が低いことから変形が生じた。６ｍｍ（比較例３）では、細部への塗布のし易さに劣る。塗布部の幅は、４．５〜５．５ｍｍのもの（実施例１〜４）が、すべての評価項目において優れていた。
【００３５】
塗布部の曲率半径は、１５ｍｍ（比較例１、２）では、すべてのサンプルで変形があり、耐変形性に問題があった。実施例１、４においても若干の変形は認められたが（実施例１で約３０％のサンプルに変形、実施例４で約１７％のサンプルに変形）、いずれも軽度のものであり実用上問題ない程度のものであった。３０ｍｍ（比較例４）では、湾曲の内側表面が唇へ密着せず、フィット性に劣る結果であった。曲率半径１７〜２５．５ｍｍの塗布部（実施例１〜４）は、すべての評価項目で優れる結果であった。
【００３６】
塗布部は上記の通り唇の形状にフィットする必要があるため、適度な弾力性のある素材を選定する必要がある。また、化粧料と常時接触する部位でもあるため化粧料に対して相互作用のない化学的に安定な素材である必要がある。したがって、塗布部を形成する素材としては、ＪＩＳ試験法Ｋ６２５３による素材の硬さが９０のポリウレタンエラストマーを使用した。
【符号の説明】
【００３７】
１  粘性化粧料用容器
２  キャップ
３  塗布具
４  軸
５  収納部
６  塗布部
７  塗布部の湾曲した内側表面
８  塗布部の湾曲した外側表面
９  粘性化粧料
１０  保持部
１１  保持孔
１２  固定部
１３  雄ネジ
１４  雌ネジ
１５  シゴキ 
【図１】
0005450027.tif 000004
【図２】
0005450027.tif 000005
【図３】
0005450027.tif 000006